(57)【要約】【課題】容易に、かつ、迅速に、編集を開始することができるようにする。【解決手段】光ディスク２には、ビデオカメラで撮影された映像を、比較的低い圧縮率で圧縮した本線ビデオデータの他に、本線ビデオデータよりも高い圧縮率で圧縮した、低解像度のプロキシビデオデータ、編集で用いられるメタデータなどが記録されている。光ディスク２が光ディスク装置１のドライブ３８に装着されたことが検出されたとき、ユーザからの指示によらずに、プロキシビデオデータやメタデータが読み出され、ＨＤＤ４６に記録される。ＨＤＤ４６に記録されたプロキシビデオデータやメタデータは、本線ビデオデータの編集である本編集前の、簡易な編集において用いられる。本発明は、プロキシビデオデータなどの編集を行う情報処理装置に適用することができる。【選択図】      図４
2004343218.tif 000002
【特許請求の範囲】
【請求項１】
情報データと、前記情報データに関わるメタデータとが記録された記録媒体から、他の記録媒体への前記情報データの複写に伴って、前記メタデータの少なくとも一部を前記他の記録媒体に自動的に複写させる複写制御手段を備える
ことを特徴とする情報処理装置。
【請求項２】
前記情報データには、第１のデータと、前記第１のデータと同じ内容で前記第１のデータよりもデータ量が少ない第２のデータとが含まれており、
前記複写制御手段は、そのうちの前記第２のデータの複写に伴って、前記メタデータの少なくとも一部を前記他の記録媒体に自動的に複写させる
ことを特徴とする請求項１に記載の情報処理装置。
【請求項３】
前記第２のデータは、前記第１のデータの代わりに編集に用いられる映像または音声のデータである
ことを特徴とする請求項２に記載の情報処理装置。
【請求項４】
前記記録媒体は、着脱可能な記録媒体であり、
前記複写制御手段は、前記記録媒体が装着されたことに応じて、または、前記記録媒体が装着され、さらに、ユーザから指示されたことに応じて、前記情報データの複写に伴って、前記メタデータの少なくとも一部を前記他の記録媒体に自動的に複写させる
ことを特徴とする請求項１に記載の情報処理装置。
【請求項５】
前記記録媒体は、着脱可能な記録媒体であり、
前記複写制御手段は、電源が投入されている状態で前記記録媒体が装着されたことに応じて、または、前記記録媒体が装着されている状態で電源が投入されたことに応じて、前記情報データの複写に伴って、前記メタデータの少なくとも一部を前記他の記録媒体に自動的に複写させる
ことを特徴とする請求項１に記載の情報処理装置。
【請求項６】
前記複写制御手段は、所定の通信路を介して接続されるドライブに装着された前記記録媒体に記録されている前記情報データの複写に伴って、前記メタデータの少なくとも一部を前記他の記録媒体に自動的に複写させる
ことを特徴とする請求項１に記載の情報処理装置。
【請求項７】
前記他の記録媒体をさらに備える
ことを特徴とする請求項１に記載の情報処理装置。
【請求項８】
編集の画面に表示させる代表画を、前記情報データに基づいて生成する生成手段をさらに備え、
前記複写制御手段は、前記情報データの前記他の記録媒体への複写に伴って、前記メタデータの少なくとも一部と、前記生成手段により生成された前記代表画を前記他の記録媒体に自動的に複写させる
ことを特徴とする請求項１に記載の情報処理装置。
【請求項９】
前記記録媒体に記録されている前記情報データのうちの映像データを構成するフレームの少なくとも一部には、そのフレームの特徴を表す特徴情報が予め設定されており、
前記生成手段は、前記情報データに基づいて、前記特徴情報が設定されているフレームの静止画像を、前記代表画として生成する
ことを特徴とする請求項８に記載の情報処理装置。
【請求項１０】
自動複写モードを設定する設定手段をさらに備え、
前記複写制御手段は、前記自動複写モードが設定されている状態で、前記記録媒体が装着されたことに応じて、または、前記記録媒体が装着されているときに電源が投入されたことに応じて、前記情報データの複写に伴って、前記メタデータの少なくとも一部を前記他の記録媒体に自動的に複写させる
ことを特徴とする請求項１に記載の情報処理装置。
【請求項１１】
前記設定手段は、所定の手動スイッチがユーザにより操作されることに応じて前記自動複写モードを設定する
ことを特徴とする請求項１０に記載の情報処理装置。
【請求項１２】
情報データと、前記情報データに関わるメタデータとが記録された記録媒体から、他の記録媒体への前記情報データの複写に伴って、前記メタデータの少なくとも一部を前記他の記録媒体に自動的に複写させる複写制御ステップを含む
ことを特徴とする情報処理方法。
【請求項１３】
情報データと、前記情報データに関わるメタデータとが記録された記録媒体から、他の記録媒体への前記情報データの複写に伴って、前記メタデータの少なくとも一部を前記他の記録媒体に自動的に複写させる複写制御ステップを含む
ことを特徴とするコンピュータが読み取り可能なプログラム。
【発明の詳細な説明】
【０００１】
【発明の属する技術分野】
本発明は、情報処理装置および方法、並びにプログラムに関し、特に、容易に、かつ、迅速に、編集を開始することができるようにする情報処理装置および方法、並びにプログラムに関する。
【０００２】
【従来の技術】
近年、その大容量化やデータ転送速度の向上により、光ディスクを、放送業務用のビデオカメラの記録媒体として用いることができるようになってきている。例えば、青紫色発光ダイオードにより映像や音声のデータが記録される光ディスクの記録容量は、片面１層の記録方式で約２３ＧＢにもなり、また、データの転送速度（記録レート）は、圧縮率によっても異なるが５０Ｍｂｐｓ以上にも及ぶ。
【０００３】
そして、このような光ディスクと放送業務用ビデオカメラを用いた撮影によっては、取り込んだ映像を、画質の劣化などが生じないように比較的低い圧縮率で圧縮した本線データの他に、本線データよりも高い圧縮率で圧縮したプロキシビデオデータ（低解像度の映像データ）なども光ディスクに記録される（特許文献１）。
【０００４】
なお、取り込んだ音声についても、本線の音声データの他、必要に応じて、高圧縮率のプロキシオーディオデータ（音声データ）が作成される。
【０００５】
プロキシビデオデータやプロキシオーディオデータは、近年、一般的に行われている、いわゆるノンリニア編集を行うためのデータであり、パーソナルコンピュータに取り込まれた後、編集の素材とされる。すなわち、パーソナルコンピュータなどでノンリニア編集を行う場合、その処理能力が不足することから、上述したような高記録レートの本線データを、直接、編集の素材とすることができない。
【０００６】
このように、プロキシビデオデータを素材として行われる編集はプロキシ編集と呼ばれることがあり、このプロキシ編集は、例えば、撮影現場などで簡易な編集として行われる。プロキシ編集の結果は、例えば、光ディスクに記録された状態で配送される本線データとは別に、最終的な放送用データを作成するスタジオの装置などに、ネットワークを介して送信される。そして、そのスタジオにおいて、プロキシ編集の結果に基づく本線データの編集が行われ、最終的な、放送用の映像データが作成される。
【０００７】
【特許文献１】
国際公開第０１／６００６２号パンフレット
【０００８】
【発明が解決しようとする課題】
ところで、この撮影現場でのプロキシ編集を、ハードディスクを内蔵する光ディスク装置を用いて行うためには、その編集者は、撮影済みの光ディスクをビデオカメラから取り出した後、それを光ディスク装置に装着し、光ディスク装置を操作して、ハードディスクに取り込むプロキシビデオデータやプロキシオーディオデータ（ファイル）を選択する、一連の作業を行う必要がある。
【０００９】
従って、長時間の撮影により、複数枚の光ディスクにわたって映像や音声データが記録されている場合には、編集者は、編集を開始するために、その一連の作業を光ディスクの枚数分だけ行う必要があり、プロキシ編集を行うまでの作業が繁雑であるという課題があった。
【００１０】
本発明はこのような状況に鑑みてなされたものであり、容易に、かつ、迅速に、編集を開始することができるようにするものである。
【００１１】
【課題を解決するための手段】
本発明の情報処理装置は、情報データと、情報データに関わるメタデータとが記録された記録媒体から、他の記録媒体への情報データの複写に伴って、メタデータの少なくとも一部を他の記録媒体に自動的に複写させる複写制御手段を備えることを特徴とする。
【００１２】
前記情報データには、第１のデータと、第１のデータと同じ内容で第１のデータよりもデータ量が少ない第２のデータとが含まれており、複写制御手段は、そのうちの第２のデータの複写に伴って、メタデータの少なくとも一部を他の記録媒体に自動的に複写させるようにすることができる。
【００１３】
第２のデータは、第１のデータの代わりに編集に用いられる映像または音声のデータであるようにすることができる。
【００１４】
記録媒体は、着脱可能な記録媒体であり、複写制御手段は、記録媒体が装着されたことに応じて、または、記録媒体が装着され、さらに、ユーザから指示されたことに応じて、情報データの複写に伴って、メタデータの少なくとも一部を他の記録媒体に自動的に複写させるようにすることができる。
【００１５】
記録媒体は、着脱可能な記録媒体であり、複写制御手段は、電源が投入されている状態で記録媒体が装着されたことに応じて、または、記録媒体が装着されている状態で電源が投入されたことに応じて、情報データの複写に伴って、メタデータの少なくとも一部を他の記録媒体に自動的に複写させるようにすることができる。
【００１６】
複写制御手段は、所定の通信路を介して接続されるドライブに装着された記録媒体に記録されている情報データの複写に伴って、メタデータの少なくとも一部を他の記録媒体に自動的に複写させるようにすることができる。
【００１７】
本発明の情報処理装置は、他の記録媒体をさらに備えるようにすることができる。
【００１８】
本発明の情報処理装置は、編集の画面に表示させる代表画を、情報データに基づいて生成する生成手段をさらに備えるようにすることができる。この場合、複写制御手段は、情報データの他の記録媒体への複写に伴って、メタデータの少なくとも一部と、生成手段により生成された代表画を他の記録媒体に自動的に複写させる。
【００１９】
本発明の情報処理装置は、記録媒体に記録されている情報データのうちの映像データを構成するフレームの少なくとも一部には、そのフレームの特徴を表す特徴情報が予め設定されており、生成手段は、情報データに基づいて、特徴情報が設定されているフレームの静止画像を、代表画として生成するようにすることができる。
【００２０】
本発明の情報処理装置は、自動複写モードを設定する設定手段をさらに備え、複写制御手段は、自動複写モードが設定されている状態で、記録媒体が装着されたことに応じて、または、記録媒体が装着されているときに電源が投入されたことに応じて、情報データの複写に伴って、メタデータの少なくとも一部を他の記録媒体に自動的に複写させるようにすることができる。
【００２１】
設定手段は、所定の手動スイッチがユーザにより操作されることに応じて自動複写モードを設定するようにすることができる。
【００２２】
本発明の情報処理方法は、情報データと、情報データに関わるメタデータとが記録された記録媒体から、他の記録媒体への情報データの複写に伴って、メタデータの少なくとも一部を他の記録媒体に自動的に複写させる複写制御ステップを含むことを特徴とする。
【００２３】
本発明のプログラムは、情報データと、情報データに関わるメタデータとが記録された記録媒体から、他の記録媒体への情報データの複写に伴って、メタデータの少なくとも一部を他の記録媒体に自動的に複写させる複写制御ステップを含むことを特徴とする。
【００２４】
本発明の情報処理装置および方法、並びにプログラムにおいては、情報データと、情報データに関わるメタデータとが記録された記録媒体から、他の記録媒体への情報データの複写に伴って、メタデータの少なくとも一部が他の記録媒体に自動的に複写される。
【００２５】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２６】
請求項１に記載の情報処理装置（例えば、図１の光ディスク装置１）は、情報データ（例えば、本線データと、低解像度のプロキシデータのいずれか一方、または、その両方）と、前記情報データに関わるメタデータとが記録された記録媒体（例えば、図１の光ディスク２）から、他の記録媒体への前記情報データの複写に伴って、前記メタデータの少なくとも一部を前記他の記録媒体（例えば、図５のＨＤＤ４６）に自動的に複写させる複写制御手段（例えば、図５の書き込み部９６）を備えることを特徴とする。
【００２７】
請求項２に記載の情報処理装置が処理する前記情報データには、第１のデータ（例えば、本線データ）と、前記第１のデータと同じ内容で前記第１のデータよりもデータ量が少ない第２のデータ（例えば、プロキシデータ）とが含まれており、前記複写制御手段は、そのうちの前記第２のデータの複写に伴って、前記メタデータの少なくとも一部を前記他の記録媒体に自動的に複写させることを特徴とする。
【００２８】
請求項３に記載の情報処理装置が処理する前記第２のデータは、前記第１のデータの代わりに編集に用いられる映像または音声のデータであることを特徴とする。
【００２９】
請求項４に記載の情報処理装置が処理する前記記録媒体は、着脱可能な記録媒体であり、前記複写制御手段は、前記記録媒体が装着されたことに応じて、または、前記記録媒体が装着され、さらに、ユーザから指示されたことに応じて（例えば、記録開始ボタンが操作されたことに応じて）、前記情報データの複写に伴って、前記メタデータの少なくとも一部を前記他の記録媒体に自動的に複写させる。
【００３０】
請求項５に記載の情報処理装置が処理する前記記録媒体は、着脱可能な記録媒体であり、前記複写制御手段は、電源が投入されている状態で前記記録媒体が装着されたことに応じて、または、前記記録媒体が装着されている状態で電源が投入されたことに応じて、前記情報データの複写に伴って、前記メタデータの少なくとも一部を前記他の記録媒体に自動的に複写させることを特徴とする。
【００３１】
請求項６に記載の情報処理装置（この場合、情報処理装置は、例えば、図１３Ａのパーソナルコンピュータ２０１に対応する）の前記複写制御手段は、所定の通信路（例えば、図１３Ａのケーブル２０２）を介して接続されるドライブに装着された前記記録媒体に記録されている前記情報データの複写に伴って、前記メタデータの少なくとも一部を前記他の記録媒体（この場合、他の記録媒体は、例えば、図１５のＨＤＤ２１８に対応する）に自動的に複写させることを特徴とする。
【００３２】
請求項７に記載の情報処理装置は、前記他の記録媒体をさらに備えることを特徴とする。
【００３３】
請求項８に記載の情報処理装置は、編集の画面に表示させる代表画を、前記情報データに基づいて生成する生成手段（例えば、図５の代表画生成部９７）をさらに備え、前記複写制御手段は、前記情報データの前記他の記録媒体への複写に伴って、前記メタデータの少なくとも一部と、前記生成手段により生成された前記代表画を前記他の記録媒体に自動的に複写させることを特徴とする。
【００３４】
請求項９に記載の情報処理装置が処理する前記記録媒体に記録されている前記情報データのうちの映像データを構成するフレームの少なくとも一部には、そのフレームの特徴を表す特徴情報（例えば、エッセンスマーク）が予め設定されており、前記生成手段は、前記情報データに基づいて、前記特徴情報が設定されているフレームの静止画像を、前記代表画として生成することを特徴とする。
【００３５】
請求項１０に記載の情報処理装置は、自動複写モードを設定する設定手段（例えば、図５のモード設定部９４）をさらに備え、前記複写制御手段は、前記自動複写モードが設定されている状態で、前記記録媒体が装着されたことに応じて、または、前記記録媒体が装着されているときに電源が投入されたことに応じて、前記情報データの複写に伴って、前記メタデータの少なくとも一部を前記他の記録媒体に自動的に複写させる。
【００３６】
請求項１１に記載の情報処理装置の前記設定手段は、所定の手動スイッチがユーザにより操作されることに応じて前記自動複写モードを設定することを特徴とする。
【００３７】
請求項１２に記載の情報処理方法は、情報データと、前記情報データに関わるメタデータとが記録された記録媒体から、他の記録媒体への前記情報データの複写に伴って、前記メタデータの少なくとも一部を前記他の記録媒体に自動的に複写させる複写制御ステップ（例えば、図８のステップＳ９）を含むことを特徴とする。
【００３８】
請求項１３に記載のプログラムは、情報データと、前記情報データに関わるメタデータとが記録された記録媒体から、他の記録媒体への前記情報データの複写に伴って、前記メタデータの少なくとも一部を前記他の記録媒体に自動的に複写させる複写制御ステップ（例えば、図８のステップＳ９）を含むことを特徴とする。
【００３９】
図１は、本発明を適用した光ディスク装置１と、光ディスク装置１に着脱可能な記録媒体である光ディスク２を示す図である。
【００４０】
光ディスク装置１は、例えば、撮影現場で簡易な編集を行うための装置であり、図示せぬビデオカメラで撮影された映像や音声のデータが記録された光ディスク２が装着される。撮影済みの光ディスク２には、本線のビデオデータ（映像データ）の他、それを低解像度のデータとしたプロキシビデオーデータが記録されている。また、本線のオーディオデータ（音声データ）をさらに圧縮して得られたプロキシオーディオデータなども、必要に応じて、ビデオカメラによる撮影時に作成され、光ディスク２に記録されている。
【００４１】
このプロキシビデオーデータとプロキシオーディオデータは、編集者である光ディスク装置１のユーザがプロキシ編集（図２）を行うため、或いは、ロギング（図３）を行うためのプロキシ編集用のデータとして用いられる。以下、プロキシビデオーデータとプロキシオーディオデータを個々に区別する必要がない場合、まとめて、プロキシデータと称する。
【００４２】
すなわち、図２に示されるように、ビデオカメラで撮影し（Ｓｔａｔｅ１）、得られた撮影済みの光ディスク２には、ビデオカメラに取り込まれた映像や音声を、その劣化が生じないように比較的低い圧縮率で圧縮して得られる、データ量が大きい、高記録レートの本線ビデオデータや本線オーディオデータを格納する本線ビデオ・オーディオデータファイル１１、本線ビデオデータや本線オーディオデータを、それより高い圧縮率で圧縮して得られる、データ量が少ない、低記録レートのプロキシビデオーデータとプロキシオーディオデータを格納するプロキシビデオ・オーディオデータファイル１２、メタデータファイル１３、および、静止画リスト１４が記録されている。
【００４３】
光ディスク装置１は、例えば、後述する自動複写モードが設定されている状態で、これらのデータが記録された光ディスク２が装着されたとき、本線ビデオ・オーディオデータファイル１１乃至静止画リスト１４のうちのプロキシビデオ・オーディオデータファイル１２の複写に伴って、それに関わる、メタデータファイル１３、および静止画リスト１４を、ユーザからの操作によらずに自動的に読み出し、それらを、内蔵する記録媒体であるＨＤＤ（Ｈａｒｄ  Ｄｉｓｋ  Ｄｒｉｖｅ）に複写する（記録する）。
【００４４】
その後、ユーザにより、ＨＤＤに記録されたプロキシビデオデータ、プロキシオーディオデータを素材としてプロキシ編集が行われる（Ｓｔａｔｅ２）。
【００４５】
例えば、プロキシ編集においては、プロキシビデオデータ、プロキシオーディオデータを素材として、撮影された１又は２以上の映像シーンの中から、最終工程の本編集で必要となる映像シーンが選択され、さらに、選択された映像シーンにＩＮ点およびＯＵＴ点が設定されて、使用する映像の範囲を抽出する作業などが行われる。
【００４６】
プロキシ編集の結果である編集情報１５は、例えば、インターネットなどを介して、本線ビデオデータ、本線オーディオデータの本線編集を行う編集場所の装置に送信される。編集情報１５には、例えば、放送などで使用する範囲を指定するＩＮ点やＯＵＴ点を表す情報が含まれる。
【００４７】
一方、本線ビデオ・オーディオデータファイル１１は、本線編集を行う編集場所に、例えば、光ディスク２に記録された状態で配送される。その後、光ディスク装置１により生成された編集情報１５により表される編集結果に基づいて、本線ビデオ・オーディオデータファイル１１の本線編集が行われ（Ｓｔａｔｅ３）、最終的な、編集済みのビデオデータ、オーディオデータが作成される。
【００４８】
このような編集においては、光ディスク装置１がプロキシ編集において処理するプロキシビデオデータおよびプロキシオーディオデータは、記録レートが比較的低い、データ量の少ないデータであるため、光ディスク装置１に、本編集を行う装置ほどの処理能力を用意しておく必要がない。また、光ディスク装置１を用いることで、撮影直後などに、その場で簡易な編集を行うことができる。
【００４９】
さらに、例えば、自動複写モードが設定されている場合には、プロキシ編集を行うユーザは、光ディスク２を光ディスク装置１に装着するだけで、プロキシ編集において必要となるプロキシビデオ・オーディオデータファイル１２を記録させることができるとともに、その記録に伴って、メタデータファイル１３、静止画リスト１４を光ディスク装置１のＨＤＤに記録させることができるため、容易に、かつ迅速に、プロキシ編集を開始することができる。すなわち、ユーザは、光ディスク２を光ディスク装置１に装着した後、光ディスク装置１を操作し、取り込むファイルを自ら選択する必要はない。
【００５０】
なお、静止画リスト１４は、後に詳述するように、メタデータファイル１３に記述される所定のメタデータから取得される。
【００５１】
図３は、例えば、撮影現場で、上述したプロキシ編集の代わりにロギングを行う場合のデータの流れの例について示す図であり、図３のＳｔａｔｅ２では、光ディスク２から光ディスク装置１に読み出されたプロキシビデオ・オーディオデータファイル１２、メタデータファイル１３、静止画リスト１４を用いて、ロギングが行われる。このロギングは、プロキシ編集より簡易な、単に、必要な映像シーンのみを選択するなどの編集作業である。
【００５２】
ロギングの結果を表す編集参考情報２１は、本編集を行う装置に、例えば、ネットワークを介して送信され、本線ビデオデータや本線オーディオデータを素材とする本編集（Ｓｔａｔｅ３）において参考にされる。
【００５３】
なお、以上においては、プロキシビデオ・オーディオデータファイル１２の複写に伴って、それに関わる、メタデータファイル１３を自動的に複写するとしたが、例えば、本線ビデオ・オーディオデータファイル１１の一方のみが記録されている場合には、その本線ビデオ・オーディオデータファイル１１の複写に伴って、それに関わる、メタデータファイル１３を自動的に複写するようにしてもよい。すなわち、本線ビデオ・オーディオデータファイル１１とプロキシビデオ・オーディオデータファイル１２のうちの、いずれのファイルの複写に伴って、メタデータファイル１３の複写が自動的に行われるようにしてもよい。
【００５４】
図４は、以上のようなプロキシ編集やロギングを行う光ディスク装置１の構成例を示すブロック図である。
【００５５】
外部ビデオ信号インタフェース３１は、光ディスク装置１の外部にある機器から入力されたビデオ信号をビデオ圧縮／伸張部３２に出力し、一方、ビデオ圧縮／伸張部３２から供給されたビデオ信号を、その外部の機器に出力する。例えば、外部ビデオ信号インタフェース３１には、アナログコンポジット信号、アナログコンポーネント信号の入出力部が設けられる。
【００５６】
ビデオ圧縮／伸張部３２は、外部ビデオ信号インタフェース３１や外部ビデオ・オーディオ信号インタフェース３４から供給されたビデオ信号を、必要に応じてディジタル変換した後、例えば、ＭＰＥＧ（Ｍｏｖｉｎｇ  Ｐｉｃｔｕｒｅ  Ｅｘｐｅｒｔｓ  Ｇｒｏｕｐ）２方式で圧縮（エンコード）し、得られたデータをビデオインタフェース３３を介してバス３９上に出力する。また、ビデオ圧縮／伸張部３２は、ビデオインタフェース３３を介して供給されたビデオデータを伸張（デコード）し、アナログ変換して得られたビデオ信号を外部ビデオ信号インタフェース３１に出力する。ビデオインタフェース３３は、ビデオ圧縮／伸張部３２に対するデータの供給、ビデオ圧縮／伸張部３２からバス３９上へのデータの出力を行う。
【００５７】
外部ビデオ・オーディオ信号インタフェース３４は、外部にある機器から入力されたビデオデータをビデオ圧縮／伸張部３２に、オーディオデータをオーディオプロセッサ３６にそれぞれ出力する。また、外部ビデオ・オーディオ信号インタフェース３４は、ビデオ圧縮／伸張部３２から供給されたビデオデータ、および、オーディオプロセッサ３６から供給されたオーディオデータを外部の機器に出力する。例えば、外部ビデオ・オーディオ信号インタフェース３４は、ＳＤＩ（Ｓｅｒｉａｌ  Ｄｉｇｉｔａｌ  Ｉｎｔｅｒｆａｃｅ），ＳＤＴＩ（Ｓｅｒｉａｌ  Ｄａｔｅ  Ｔｒａｎｓｆｅｒ  Ｉｎｔｅｒｆａｃｅ）などに準拠したインタフェースとされる。
【００５８】
外部オーディオ信号インタフェース３５は、外部の機器から入力されたオーディオ信号をオーディオプロセッサ３６に出力し、一方、オーディオプロセッサ３６から供給されたオーディオ信号を外部の機器に出力する。例えば、外部オーディオ信号インタフェース３５は、アナログオーディオ信号のインタフェース、ＡＥＳ−ＥＢＵ（Ａｕｄｉｏ  Ｅｎｇｉｎｅｅｒｉｎｇ  Ｓｏｃｉｅｔｙ−Ｅｕｒｏｐｅａｎ  Ｂｒｏａｄｃａｓｔ  Ｕｎｉｏｎ）規格に準拠したインタフェースなどとされる。
【００５９】
オーディオプロセッサ３６は、オーディオインタフェース３７から供給されたオーディオデータのディジタル／アナログ変換、および音声調整などを行い、得られた信号を外部オーディオ信号インタフェース３５に出力する。また、オーディオプロセッサ３６は、外部オーディオ信号インタフェース３５から供給されたオーディオ信号をアナログ／ディジタル変換し、得られたデータをオーディオインタフェース３７に出力する。オーディオインタフェース３７は、オーディオプロセッサ３６に対するデータの供給、オーディオプロセッサ３６からバス３９上へのデータの出力を行う。
【００６０】
ドライブ３８は、光ディスク２の着脱を制御するローディングメカニズムコントローラ６１、ローディングメカニズムコントローラ６１とバス３９の間のデータの送受信を行うメカニズムインタフェース６２、ピックアップ６３、ピックアップからのレーザーの発生と、その反射光の検出を制御するピックアップコントローラ６４、光ディスク２に記録させるデータをピックアップ６３に出力するとともに、ピックアップ６３で検出されたレーザの反射光から、データを取得するデータプロセッサ６５、データプロセッサ６５とバス３９の間のデータの送受信を行うドライブインタフェース６６から構成されている。
【００６１】
操作部インタフェース４０は、操作部４１に対するユーザ（編集者）の入力を受け付け、それに対応する信号をバス３９を介してＣＰＵ（Ｃｅｎｔｒａｌ  Ｐｒｏｃｅｓｓｉｎｇ  Ｕｎｉｔ）４２に出力する。
【００６２】
ＣＰＵ４２は、ＲＯＭ（Ｒｅａｄ  Ｏｎｌｙ  Ｍｅｍｏｒｙ）４３に記録されている制御プログラムをＲＡＭ（Ｒａｎｄｏｍ  Ａｃｃｅｓｓ  Ｍｅｍｏｒｙ）４４に展開し、光ディスク装置１の全体の動作を制御する。例えば、ＣＰＵ４２は、光ディスク２がドライブ３８に装着されたとき、ドライブ３８の各部を制御し、光ディスク２に記録されているプロキシビデオ・オーディオデータファイル、メタデータファイルを読み出し、それをＨＤＤ４６に出力させる。
【００６３】
コンピュータインタフェース４５は、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４ケーブル、ＵＳＢ（Ｕｎｉｖｅｒｓａｌ  Ｓｅｒｉａｌ  Ｂｕｓ）ケーブル、クロスケーブル、またはストレートケーブルなどを介して接続されるパーソナルコンピュータとの間で通信を行い、各種のデータをパーソナルコンピュータに対して転送する。
【００６４】
ＨＤＤ４６は、光ディスク２から読み出され、バス３９を介して供給されたプロキシビデオ・オーディオデータファイル、メタデータファイル等の各種のデータを記録する。ＨＤＤ４６に記録されたデータは、例えば、プロキシ編集において用いられる。
【００６５】
ＬＣＤ（Ｌｉｑｕｉｄ  Ｃｒｙｓｔａｌ  Ｄｉｓｐｌａｙ）表示インタフェース４７は、バス３９を介して供給されたデータに対応する映像をＬＣＤ４８に表示させる。
【００６６】
図５は、以上のような構成を有する光ディスク装置１により実現される機能構成例を示すブロック図である。
【００６７】
記録制御部８１は、検出部９１、光ディスクデータ読み出し部９２、制御部９３、モード設定部９４、ＨＤＤデータ読み出し部９５、書き込み部９６、代表画生成部９７から構成される。
【００６８】
検出部９１は、ドライブ３８に光ディスク２が装着されたことを検出し、装着されたことを表す情報を光ディスクデータ読み出し部９２に出力する。
【００６９】
光ディスクデータ読み出し部９２は、例えば、自動複写モードが設定されている状態において、検出部９１により、ドライブ３８に光ディスク２が装着されたことが検出されたとき、光ディスク２からプロキシビデオ・オーディオデータファイル、メタデータファイルを読み出し、それらのファイルを制御部９３に出力する。この自動複写モードは、例えば、所定の手動のスイッチがユーザにより操作されることにより、そのオン／オフが切り換えられ、設定される。
【００７０】
ここで、光ディスク２に記録されるデータについて説明する。
【００７１】
始めに、光ディスク２に記録されるデータに関連する用語について説明する。
【００７２】
「メタデータ」とは、例えば、ビデオデータなどの、あるデータに関する付帯情報であり、編集時において、データの内容を編集者が確認するため、或いは、所定のフレームを検索するために用いられる。例えば、撮影日時、撮影場所、各種のメモなどが、メタデータとしてビデオデータなどに付加される。メタデータには、例えば、１クリップのビデオデータ毎に付加されるクリップメタデータと、１フレーム毎に付加されるフレームメタデータとがある。光ディスク装置１のＨＤＤ４６には、光ディスク２に記録されているメタデータのうちの少なくとも一部のデータが取り込まれる。
【００７３】
「クリップ」とは、例えば、ビデオカメラによる、１回の記録開始から記録終了に至るまでの連続した映像区間をいう。
【００７４】
図６は、光ディスク２に記録されているデータのディレクトリ（フォルダ）、およびファイルの構造の例を示す図である。
【００７５】
図６に示されるように、ＲＯＯＴディレクトリには、１つのプログラムに対応するビデオデータを格納するＰＲＯＡＶディレクトリ、および、ＰＲＯＡＶディレクトリのデータのメタデータを格納する構成表データファイルが格納される。
【００７６】
ＰＲＯＡＶディレクトリには、インデックスファイル（ＩＮＤＥＸ．ＸＭＬ）、インデックスファイルがコピーされたファイル（ＩＮＤＥＸ．ＲＳＶ）、ディスク情報ファイル（ＤＩＳＣＩＮＦＯ．ＸＭＬ）、ディスク情報ファイルがコピーされたファイル（ＤＩＳＣＩＮＦＯ．ＲＳＶ）が格納される。
【００７７】
インデックスファイルは、記録済みのクリップ、および、編集リストをディスク全体に渡って管理するためのファイルであり、例えば、ＸＭＬ（ｅＸｔｅｎｓｉｂｌｅ  Ｍａｒｋｕｐ  Ｌａｎｇｕａｇｅ）ベースの言語で記述される。ディスク情報ファイルは、光ディスク２の属性、再生開始位置などを記述するファイルである。
【００７８】
ＰＲＯＡＶディレクトリには、また、クリップディレクトリ（ＣＬＰＲ）およびエディトディレクトリ（ＥＤＴＲ）が格納される。
【００７９】
クリップディレクトリには、それぞれのクリップに対応するディレクトリが格納される。エディトディレクトリには、映像データおよび音声データの再生順序、および再生範囲を示すエディトリストのデータが格納される。このエディトリストには、クリップに対して設定された、ＩＮ点およびＯＵＴ点の位置を表す情報が記述される。なお、エディトリストは、１つのクリップに対して複数付加されることもある。
【００８０】
図７は、クリップディレクトリ（図６の、名前が「Ｃ０００１」のディレクトリ）に格納されるファイルの例を示す図である。なお、図７において、ファイルの右方に付加されているかっこ書きは、そのファイルの内容を示すものであり、ファイル名には含まれない。
【００８１】
クリップディレクトリの先頭に示される、「Ｃ０００１Ｃ０１．ＳＭＩ」の名前が設定されたファイルは、１セットの独立したマルチメディアオブジェクト（映像または音声のオブジェクト）の時間的な挙動、画面上のレイアウト、または他のマルチメディアオブジェクトとの結び付きを、例えば、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）で記述するファイルである。
【００８２】
「Ｃ０００１Ｖ０１．ＭＸＦ」の名前が設定されたファイルは、本線のビデオデータを格納するファイルである。
【００８３】
「Ｃ０００１Ａ０１．ＭＸＦ」乃至「Ｃ０００１Ａ０８．ＭＸＦ」の名前が設定されたファイルは、本線のオーディオデータを格納するファイルである。それぞれのファイルに１チャンネルのオーディオデータが記録されている。
【００８４】
「Ｃ０００１Ｓ０１．ＭＸＦ」の名前が設定されたファイルは、プロキシビデオデータを格納するファイルである。すなわち、ここに格納されているプロキシビデオデータは、「Ｃ００１Ｖ０１．ＭＸＦ」の名前が設定されているファイルに格納されている本線のビデオデータを、より高い圧縮率で圧縮して得られた、低記録レートのデータである。
【００８５】
「Ｃ０００１Ｍ０１．ＸＭＬ」の名前が設定されたファイルは、このクリップ（「Ｃ０００１」のクリップ）に対して付加されたクリップメタデータを格納する、ＸＭＬベースの言語で記述されるファイルである。
【００８６】
クリップメタデータには、撮影中や、その後の簡易な編集などにおいて、ビデオデータを構成する所定のフレームに対して設定された、フレームの特徴情報であるエッセンスマークが含まれる。
【００８７】
例えば、エッセンスマークにより、そのエッセンスマークが設定されたフレームが、撮影開始のフレームであること、撮影終了のフレームであること、撮影時に所定の閾値よりも大きい音量が検出されたフレームであること、撮影中にフラッシュがたかれたフレームであること、などが表される。エッセンスマークは、例えば、編集時に、編集者が、あるフレームを特定する場合などに用いられる。
【００８８】
また、クリップメタデータには、そのクリップを代表するフレームを指定する、タイムコード等の情報のリストである静止画リストが含まれる。
【００８９】
例えば、後に行われる編集において、その編集画面に、静止画リストで指定されるフレームが静止画像（代表画）として一覧表示されることで、その編集者は、容易に、クリップの内容を把握することができる。静止画リストにより指定されるフレームは、例えば、クリップの先頭のフレームや、エッセンスマークが設定されているフレームなどとされる。
【００９０】
「Ｃ０００１Ｒ０１．ＢＩＭ」の名前が設定されたファイルは、このクリップの各フレームに対して設定されたフレームメタデータを格納するファイルである。この例においては、フレームメタデータは、ＸＭＬ形式のファイルをバイナリ変換したＢＩＭ（ｂｉｎａｒｙ  ｆｏｒｍａｔ  ｆｏｒ  ｍｅｔａｄａｔａ）方式で記述されている。このように、フレームメタデータは、クリップメタデータとは異なるファイルに記述される。従って、クリップメタデータのみ、或いは、フレームメタデータのみ、というように、編集で必要なデータをファイル単位で特定することができる。
【００９１】
例えば、フレームメタデータとしては、フレームメタデータが設定されたフレームの映像データを、年、月、日、時、分、秒等の所定の時間情報により特徴付けるタイムコードであるＬＴＣ（Ｌｉｎｅａｒ  Ｔｉｍｅ  Ｃｏｄｅ）、そのフレームの画像信号の信号特性を示すユーザビット、参照されるデータに設定される、ワールドワイドで唯一のＩＤであるＵＭＩＤ（Ｕｎｉｑｕｅ  Ｍａｔｅｒｉａｌ  Ｉｄｅｎｔｉｆｉｅｒ）、ビデオカメラによる撮像が行われた位置を表すＧＰＳ（Ｇｌｏｂａｌ  Ｐｏｓｉｔｉｏｎｉｎｇ  Ｓｙｓｔｅｍ）の情報などが含まれる。
【００９２】
「Ｃ０００１Ｉ０１．ＰＰＦ」の名前が設定されたファイルは、フレーム構造に関する情報が記述されるファイルである。
【００９３】
図５の説明に戻り、光ディスクデータ読み出し部９２は、以上のような構造で各種のデータが記録されている光ディスク２から、プロキシビデオデータファイルである、例えば、図７の「Ｃ０００１Ｓ０１．ＭＸＦ」の名前が設定されているファイルや、クリップメタデータファイルである、「Ｃ０００１Ｍ０１．ＸＭＬ」の名前が設定されているファイルを読み出す。上述したように、このクリップメタデータファイルには、静止画リストも含まれる。
【００９４】
なお、必要に応じて生成され、光ディスク２に記録される、本線オーディオデータを高圧縮率で圧縮したプロキシオーディオデータを格納するファイル、インデックスファイル（図６）も、適宜、光ディスクデータ読み出し部９２により読み出される。
【００９５】
光ディスクデータ読み出し部９２により読み出されたデータは、制御部９３に出力される。
【００９６】
制御部９３の判定部１１１は、光ディスクデータ読み出し部９２から供給されるインデックスファイルと、ＨＤＤデータ読み出し部９５から供給されるデータに基づいて、光ディスク２に記録されているプロキシデータがＨＤＤ４６にも記録されているか否かを判定する。また、判定部１１１は、光ディスク２に記録されているプロキシデータが、ＨＤＤ４６に記録されていないと判定した場合、光ディスクデータ読み出し部９２を制御し、そのプロキシデータを読み出させる。このとき読み出されたプロキシデータは、制御部９３から書き込み部９６に出力され、ＨＤＤ４６に保存される。
【００９７】
なお、必要に応じて、後に編集において用いられるクリップメタデータやフレームメタデータなどのメタデータも、プロキシデータとともに制御部９３から書き込み部９６に出力され、ＨＤＤ４６に記録される。
【００９８】
制御部９３のＸＭＬ解釈部１１２は、光ディスク２から読み出された、ＸＭＬベースの言語で記述されるファイルを解釈し、その解釈結果を書き込み部９６や代表画生成部９７に出力する。上述したように、静止画リストを含むクリップメタデータファイルは、ＸＭＬベースの言語で記述されており（図７）、その解釈結果に基づいて、代表画生成部９７により代表画が生成される。
【００９９】
制御部９３の編集制御部１１３は、ユーザからの操作に基づいて、プロキシデータの編集（プロキシ編集）を行う。
【０１００】
モード設定部９４は、自動複写モードを設定、または、その設定を解除し、そのときの設定の状態を表す情報を光ディスクデータ読み出し部９２に出力する。
【０１０１】
ＨＤＤデータ読み出し部９５は、ＨＤＤ４６に記録されているデータの読み出しを行い、例えば、ＨＤＤ４６に記録されているデータを管理する情報（インデックスファイルのような管理情報）を制御部９３に出力する。
【０１０２】
書き込み部９６は、制御部９３を介して供給されるプロキシデータ、ＸＭＬベースの言語で記述されたファイルの解釈結果、代表画生成部９７により生成された代表画などの、編集で用いられる各種のデータをＨＤＤ４６に書き込む。
【０１０３】
代表画生成部９７は、ＨＤＤ４６に記録されたプロキシビデオデータに基づいて、静止画リストで指定されるフレームや、エッセンスマークが設定されているフレームのデータ（映像の一部のデータ）を取得し、そのデータを、例えば、ＪＰＥＧ（Ｊｏｉｎｔ  Ｐｈｏｔｏｇｒａｐｈｉｃ  Ｅｘｐｅｒｔ  Ｇｒｏｕｐ）方式で圧縮して代表画を生成する。代表画生成部９７により生成された代表画のデータは、書き込み部９６に出力される。なお、代表画は、本線ビデオデータに基づいて生成されるようにしてもよい。例えば、本線ビデオデータに基づいて代表画が生成される場合、そのフレームのデータは、光ディスクデータ読み出し部９２により読み出され、制御部９３を介して代表画生成部９７に出力される。
【０１０４】
また、代表画は、静止画像に限られるものではなく、例えば、数秒間などの、プロキシデータから得られる映像が、代表画として編集画面に表示されるようにしてもよい。
【０１０５】
次に、以上の構成を有する光ディスク装置１の動作について説明する。
【０１０６】
始めに、図８および図９のフローチャートを参照して、光ディスク２に記録されているデータを、内蔵するＨＤＤ４６に複写する光ディスク装置１の処理について説明する。
【０１０７】
この処理は、撮影済みの光ディスク２がドライブ３８に装着され、そのことが検出部９１により検出されたときに開始される。
【０１０８】
ステップＳ１において、光ディスクデータ読み出し部９２は、撮影済みの光ディスク２がドライブ３８に装着されたことが検出部９１により検出されたとき、モード設定部９４からの出力に基づいて、自動複写モードが設定されているか否かを判定する。
【０１０９】
光ディスクデータ読み出し部９２は、ステップＳ１において、自動複写モードが設定されていないと判定した場合、処理を終了させ、一方、自動複写モードが設定されていると判定した場合、ステップＳ２に進む。
【０１１０】
ステップＳ２において、光ディスクデータ読み出し部９２は、光ディスク２に記録されているインデックスファイル（例えば、図６の、名前が「ＩＮＤＥＸ．ＸＭＬ」のファイル）を読み出す。上述したように、ここで読み出されるインデックスファイルには、光ディスク２に記録されているデータを管理する情報が記述されている。インデックスファイルは、制御部９３に出力され、ＸＭＬ解釈部１１２により、その記述が解釈される。
【０１１１】
なお、ここで、図６の構成表データファイルやエディトリストファイル（例えば、図６の「ＥＤＴＲ」ディレクトリ以下のファイル）が適宜読み出され、それらのファイルに記述される情報に基づいて、光ディスク２から読み出されるプロキシデータの範囲が決定されるようにしてもよい。例えば、他の機器において、簡易な編集が既に行われ、ＩＮ点、ＯＵＴ点がエディトリストに記述されている場合、そのリストで指定される範囲のプロキシデータのみが、後述する読み出し処理（例えば、ステップＳ８）により読み出される。
【０１１２】
ステップＳ３において、ＨＤＤデータ読み出し部９５は、ＨＤＤ４６に記録されているデータを管理する情報であるインデックスファイルを読み出す。例えば、ＨＤＤ４６にも、光ディスク２と同様に、記録済みのプロキシファイルやメタデータのファイル名や更新日時などを管理するインデックスファイルが記録されている。ＨＤＤデータ読み出し部９５により読み出されたインデックスファイルは、制御部９３に出力される。
【０１１３】
ステップＳ４において、制御部９３の判定部１１１は、ＸＭＬ解釈部１１２による光ディスク２から読み出されたインデックスファイルの解釈結果を参照し、判定の対象とするクリップを表す変数Ｎに「１」を設定する。
【０１１４】
また、判定部１１１は、ステップＳ５において、インデックスファイルを参照して、光ディスク２に記録されているＮ番目（ステップＳ４に続いて行われる処理である場合、１番目）のクリップのプロキシファイルについて、そのファイル名と更新日時を取得する。
【０１１５】
例えば、図６に示されるように、クリップディレクトリに「Ｃ０００１」乃至「Ｃ０００３」のフォルダが格納されている場合、そのうちの「Ｃ０００１」の名前が設定されたクリップが、１番目の判定対象のクリップとされる。そして、「Ｃ０００１」ディレクトリに格納されている、図７の、プロキシデータを格納するファイルのファイル名である「Ｃ０００１Ｓ０１．ＭＸＦ」と、それに付加されている更新日時（タイムスタンプ）がインデックスファイルから取得される。
【０１１６】
判定部１１１は、ステップＳ６において、ステップＳ５で読み出したファイル名と更新日時を有するプロキシファイルが、ＨＤＤ４６に既に記録されているか否かを、ステップＳ３で、ＨＤＤ４６から読み出されたインデックスファイルに基づいて判定する。すなわち、ＨＤＤ４６から読み出されたインデックスファイルには、ＨＤＤ４６に既に記録されているプロキシファイルのファイル名や更新日時などが記述されており、そこに、光ディスク２から読み出されたファイル名および更新日時と一致するものがあるか否かが判定される。
【０１１７】
判定部１１１は、ステップＳ６において、光ディスク２から読み出したファイル名と更新日時を有するプロキシファイルが、ＨＤＤ４６に記録されていると判定した場合、ステップＳ７に進み、変数Ｎの値を１だけインクリメントした後、ステップＳ５に戻り、それ以降の処理を実行する。
【０１１８】
従って、変数Ｎに「１」が設定されており、「Ｃ０００１」の名前が設定されたクリップが判定対象とされていた場合には、続いて、変数Ｎに「２」が設定され、その値に対応する「Ｃ０００２」の名前が設定されたクリップが判定対象とされ、ステップＳ５以降の処理が行われる。
【０１１９】
一方、判定部１１１は、ステップＳ６において、光ディスク２から読み出したファイル名と更新日時を有するプロキシファイルが、ＨＤＤ４６に記録されていない、または、同一のファイル名のものはあるが、その更新日時が異なると判定した場合、ステップＳ８に進み、光ディスクデータ読み出し部９２を制御し、Ｎ番目のクリップのプロキシファイルと、メタデータファイル（クリップメタデータファイル、フレームメタデータファイル）を読み出させる。
【０１２０】
従って、変数Ｎに「１」が設定されており、「Ｃ０００１」の名前が設定されたクリップが判定の対象とされている場合、そのクリップのプロキシファイルである、図７の「Ｃ０００１Ｓ０１．ＭＸＦ」の名前が設定されたファイルと、クリップメタデータファイルである、「Ｃ０００１Ｍ０１．ＸＭＬ」の名前が設定されたファイル、および、フレームメタデータファイルである「Ｃ０００１Ｒ０１．ＢＩＭ」が読み出される。
【０１２１】
読み出されたプロキシファイルとメタデータファイルは、制御部９３を介して書き込み部９６に出力され、ステップＳ９において、書き込み部９６によりＨＤＤ４６に書き込まれる（記録される）。また、このとき、ＨＤＤ４６に記録されているデータを管理するインデックスファイルも更新され、新たに書き込まれたプロキシファイルとメタデータファイルのファイル名、更新日時などの情報がインデックスファイルに登録される。なお、ＨＤＤ４６に記録されたプロキシファイルのうちのプロキシビデオデータは、代表画生成部９７にも出力される。
【０１２２】
これにより、ＨＤＤ４６に記録されていないプロキシファイルとメタデータファイル、或いは、新たに更新されたプロキシファイルとメタデータファイルが、ユーザ自らがファイルを指定することなくＨＤＤ４６に記録される。
【０１２３】
ステップＳ１０において、制御部９３の解釈部１１２は、ＨＤＤデータ読み出し部９５を制御し、ＨＤＤ４６に記録されたメタデータファイルのうちのクリップメタデータファイルを読み出し、それに記述されているクリップメタデータを解釈して、エッセンスマークと静止画リストを取得する。上述したように、ＸＭＬベースの言語で記述されるクリップメタデータファイルには、撮影時や、その後の簡易な編集で所定のフレームに設定された、フレームの特徴を表すエッセンスマークと、例えば、各クリップの先頭のフレームを代表画とすることを指定する静止画リストが含まれている。
【０１２４】
ステップＳ１１において、解釈部１１２は、解釈結果である、他の機器でも処理可能なファイル形式に変換されたメタデータファイルを書き込み部９６に出力し、ＨＤＤ４６に記録させる。
【０１２５】
このように、光ディスク２を光ディスク装置１に装着したときに、自動的に、ＸＭＬベースなどの、処理を行う前に解釈が必要な言語で記述されたファイルについては、その記述が解釈され、解釈結果がＨＤＤ４６に記録されるため、実際に編集を開始するとき、メタデータの解釈を行う必要はない。すなわち、編集の開始を指示したときにメタデータの解釈が行われ、それが終了してからメタデータを用いた編集を行う場合に較べて、ユーザは、光ディスク装置１によるメタデータの解釈に要する時間の分だけ、迅速に、編集を開始することができる。
【０１２６】
なお、解釈部１１２により解釈されたエッセンスマークと静止画リストに関する情報は、代表画生成部９７に対して供給されている。
【０１２７】
ステップＳ１２において、代表画生成部９７は、解釈部１１２から供給されてきたエッセンスマークと静止画リストの情報に基づいて、制御部９３から供給されてきたプロキシビデオデータ（複数のＧＯＰ（Ｇｒｏｕｐ  Ｏｆ  Ｐｉｃｔｕｒｅ）からなるビデオデータ）のうち、クリップの先頭フレームを含むＧＯＰ、および、エッセンスマークが設定されているフレームを含むＧＯＰをデコードする。すなわち、代表画生成部９７は、例えば、ＭＰＥＧ２方式でエンコードされたプロキシビデオデータから、クリップの先頭フレーム、或いは、エッセンスマークが設定されたフレームを静止画像として保存できるように、それらのフレームを含むＧＯＰをデコードする。
【０１２８】
また、代表画生成部９７は、ステップＳ１３において、ステップＳ１２でデコードして得られたデータから、クリップの先頭フレームのみのデータ、或いは、エッセンスマークが設定されたフレームのみのデータを取得し、ＪＰＥＧ圧縮するなどして代表画を作成する。作成された代表画のデータは、書き込み部９６に出力され、ステップＳ１４において、ＨＤＤ４６に記録される。
【０１２９】
このように、代表画が予め作成され、ＨＤＤ４６に保存されるため、光ディスク装置１は、編集の開始が指示されたときに、ＨＤＤ４６に記録されているデータに基づいて代表画を作成し、その一覧を編集画面に表示する場合に較べて、代表画の作成に要する時間の分だけ迅速に、編集画面に代表画の一覧を表示することができる。すなわち、ユーザは、代表画の一覧が表示された編集画面において、迅速に、編集を開始することができる。
【０１３０】
なお、代表画は、ここで説明した方法によって作成されるものに限られない。例えば、各フレームのピクチャタイプ（Ｉ（Ｉｎｔｒａ）ピクチャ、Ｐ（Ｐｒｅｄｉｃｔｉｖｅ）ピクチャ、Ｂ（Ｂｉｄｉｒｅｃｔｉｏｎａｌｌｙ  ｐｒｅｄｉｃｔｉｖｅ）ピクチャ）が所定のファイルに記述されており、エッセンスマークが設定されているフレームがＩピクチャであることが、そのファイルにより指定されている場合、代表画生成部９７は、ＧＯＰ全体のデコードを行うことなく、そのフレームのデータを、代表画のデータとする。すなわち、Ｉピクチャは、他のピクチャを参照せずにイントラ符号化（エンコード）されるピクチャ（フレーム）であるため、ピクチャタイプがＩピクチャであるフレームを代表画とする場合、ＧＯＰ全体をデコードする必要はない。
【０１３１】
ステップＳ１５において、判定部１１１は、光ディスク２に記録されている全てのクリップについて、そのプロキシファイルやメタデータファイルをＨＤＤ４６に記録する処理、および、クリップの代表画を作成する処理を終了したか否かを判定し、終了していないと判定した場合、ステップＳ５に戻り、それ以降の処理を繰り返し実行する。すなわち、対象とするクリップが切り換えられ、新たに対象とされたクリップのプロキシファイルやメタデータファイルをＨＤＤ４６に記録する処理、および、代表画を作成する処理が行われる。
【０１３２】
一方、判定部１１１は、ステップＳ１５において、光ディスク２に記録されている全てのクリップについて、それらの処理を終了したと判定した場合、処理を終了させる。
【０１３３】
以上の処理が、光ディスク２が装着される毎に行われる。従って、ユーザは、仮に、撮影で複数の光ディスク２を使用した場合であっても、それらを順次、光ディスク装置１に装着させるだけで、編集で用いる、プロキシファイルやメタデータファイルなどを自動的に光ディスク装置１に取り込ませることができる。
【０１３４】
次に、図１０のフローチャートを参照して、図８および図９を参照して説明した処理によりＨＤＤ４６に記録されたプロキシファイルを対象として行われる、光ディスク装置１の編集処理について説明する。
【０１３５】
編集の開始が指示されたとき、ステップＳ３１において、編集制御部１１３は、ＨＤＤデータ読み出し部９５を制御して、代表画のデータをＨＤＤ４６から読み出させ、取得したデータに基づいて、編集画面の所定の領域に代表画を一覧表示させる。これにより、編集を行うユーザは、クリップの先頭フレームや、エッセンスマークが設定されたフレームを確認することができ、ＨＤＤ４６に記録されているプロキシファイルの映像の内容を把握することができる。
【０１３６】
また、編集の開始を指示してから代表画が作成され、代表画の一覧が表示される場合に較べて、ユーザは、迅速に、編集を開始することができる。
【０１３７】
ステップＳ３２において、編集制御部１１３は、ユーザからの指示に基づいて、プロキシデータを編集する。例えば、編集制御部１１３は、ＩＮ点やＯＵＴ点をプロキシデータに設定したり、所定のフレームに、エッセンスマークを設定するなどの処理を行う。この編集においては、上述した処理でプロキシデータとともにＨＤＤ４６に記録された、解釈済みのメタデータが用いられる。編集制御部１１３による編集結果は、適宜、ＨＤＤ４６に記録されているプロキシデータやメタデータに反映される。
【０１３８】
編集制御部１１３は、ステップＳ３３において、ユーザから、編集の終了が指示されたか否かを判定し、指示されていないと判定した場合、ステップＳ３２に戻り、ユーザからの指示に基づく編集を繰り返し行う。
【０１３９】
一方、編集制御部１１３は、ステップＳ３３において、編集の終了が指示されたと判定した場合、処理を終了させる。
【０１４０】
以上の処理で作成された編集結果を表す情報（図２の編集情報１５）は、例えば、ネットワークを介して、本線データの編集を行う装置に送信される。その後、その編集結果の情報に基づいて、本線データの編集が行われる。
【０１４１】
以上においては、自動複写モードが設定されている状態で光ディスク２が装着されたとき、自動的に、プロキシファイルやメタデータファイルなどが光ディスク装置１に取り込まれるとしたが、当然、光ディスク２が装着された状態で、ユーザからの指示に応じて、それらのデータの取り込みが行われるようにしてもよい。
【０１４２】
次に、図１１および図１２のフローチャートを参照して、ユーザからの指示に応じて、プロキシファイルやメタデータファイルなどを複写する（ＨＤＤ４６に記録させる）光ディスク装置１の処理について説明する。
【０１４３】
ステップＳ４１において、光ディスクデータ読み出し部９２は、ドライブ３８に装着された光ディスク２に記録されているプロキシファイルを複写することが、ユーザにより指示されたか否かを判定し、指示されたと判定するまで待機する。
【０１４４】
例えば、光ディスク装置１の操作部４１には、複写の開始を指示するとき操作される、手動の複写開始ボタンが設けられており、光ディスクデータ読み出し部９２は、その複写開始ボタンがユーザにより操作され、複写の開始が指示されたと判定した場合、ステップＳ４２に進む。
【０１４５】
ステップＳ４２以降の処理は、図８および図９を参照して説明した、ステップＳ２以降の処理と同様である。すなわち、所定のクリップが順次対象とされ（ステップＳ４４）、そのクリップのプロキシファイルが、ＨＤＤ４６に既に記録されているか否かが判定される（ステップＳ４６）。また、ＨＤＤ４６に記録されていないプロキシファイルやメタデータファイル、および、それらに基づいて作成された代表画などがＨＤＤ４６に記録され（ステップＳ４９，Ｓ５４）、ステップＳ５５において、全てのクリップについて、プロキシファイルなどのＨＤＤ４６への保存が終了したと判定された場合、処理は終了される。
【０１４６】
このように、複写開始ボタンを操作したときに複写を開始させることができることによっても、ユーザは、自ら選択することなく、容易に、後の編集で用いる所定のファイルを光ディスク装置１のＨＤＤ４６に記録させることができる。
【０１４７】
以上のようにして編集で用いられるデータがＨＤＤ４６に記録された光ディスク装置１においても、図１０を参照して説明した編集処理が行われる。
【０１４８】
図１３Ａおよび図１３Ｂは、本発明を適用した複写システムの構成例を示す図である。
【０１４９】
図１３Ａにおいては、光ディスク装置１とパーソナルコンピュータ２０１が、例えば、クロスケーブル、ＩＥＥＥ１３９４ケーブル、ＵＳＢ（Ｕｎｉｖｅｒｓａｌ  Ｓｅｒｉａｌ  Ｂｕｓ）ケーブルなどのケーブル２０２（通信路）を介して接続されている。
【０１５０】
パーソナルコンピュータ２０１には、上述した光ディスク装置１単体の場合と同様に、光ディスク２が光ディスク装置１に装着されたときに、光ディスク２に記録されているプロキシファイルやクリップメタデータファイルなどを、自動的に、内蔵するＨＤＤに取り込む機能である自動複写モードが用意されている。
【０１５１】
自動複写モードが設定されている状態において、ケーブル２０２を介して接続されている光ディスク装置１に光ディスク２が装着されたとき、パーソナルコンピュータ２０１は、光ディスク装置１を制御して、光ディスク２に記録されているプロキシファイルやメタデータファイルなどを読み出させ、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やＦＴＰ（Ｆｉｌｅ  Ｔｒａｎｓｆｅｒ  Ｐｒｏｔｏｃｏｌ）などに従って、ケーブル２０２を介してそれらのデータを取得し、内蔵するＨＤＤに記録する。ＨＤＤに記録されたデータは、ユーザにより行われる編集において用いられる。従って、この例においては、ユーザが編集を行う機器はパーソナルコンピュータ２０１であり、光ディスク装置１では行われない。
【０１５２】
図１３Ｂにおいては、光ディスク装置１とパーソナルコンピュータ２０１は、通信路であるＬＡＮ（Ｌｏｃａｌ  Ａｒｅａ  Ｎｅｔｗｏｒｋ）などのネットワーク２０３を介して接続されている。
【０１５３】
図１３Ｂにおいても、図１３Ａの場合と同様に、光ディスク装置１に光ディスク２が装着されたとき、光ディスク２に記録されているプロキシファイルやメタデータファイルなどが光ディスク装置１により読み出され、ネットワーク２０３を介して接続されるパーソナルコンピュータ２０１のＨＤＤに記録される。
【０１５４】
このように、光ディスク２が光ディスク装置１に装着されたときに、自動的に、編集で使用するファイルがパーソナルコンピュータ２０１のＨＤＤに複写されるため、ユーザは、複写するファイルを自ら選択することなく、容易に、パーソナルコンピュータ２０１を用いて編集など行うことができる。
【０１５５】
当然、光ディスク装置１とパーソナルコンピュータ２０１の間が、有線のケーブルではなく、例えば、ＩＥＥＥ８０２．１１ａなどの各種の規格の無線通信などで接続されるようにしてもよい。また、１つのパーソナルコンピュータ２０１に対して、複数の光ディスク装置１が接続されるようにしてもよい。
【０１５６】
なお、図１の光ディスク装置１の場合と同様に、プロキシファイルやメタデータファイルをＨＤＤに記録するパーソナルコンピュータ２０１の一連の処理においては、編集処理の開始時に解釈が必要なファイルの解釈が予め行われ、その解釈結果がＨＤＤに記録されるとともに、静止画リストやエッセンスマークなどに基づいて、代表画も予め作成され、ＨＤＤに記録される。
【０１５７】
図１４は、パーソナルコンピュータ２０１の構成例を示すブロック図である。
【０１５８】
ＣＰＵ２１１は、ＲＯＭ２１２に記憶されているプログラム、または、ＨＤＤ２１８からＲＡＭ２１３にロードされたプログラムに従って、パーソナルコンピュータ２０１全体の動作を制御する。ＲＡＭ２１３にはまた、ＣＰＵ２１１が各種の処理を実行する上において必要なデータなどが適宜記憶される。
【０１５９】
ＣＰＵ２１１、ＲＯＭ２１２、およびＲＡＭ２１３は、バス２１４を介して相互に接続されている。このバス２１４にはまた、入出力インタフェース２１５も接続されている。
【０１６０】
入出力インタフェース２１５には、キーボード、マウスなどよりなる入力部２１６、ＬＣＤ（Ｌｉｑｕｉｄ  Ｃｒｙｓｔａｌ  Ｄｉｓｐｌａｙ）などよりなるディスプレイ、並びにスピーカなどよりなる出力部２１７、ハードディスクなどより構成されるＨＤＤ２１８、光ディスク装置１とのインタフェースである光ディスク装置インタフェース２１９が接続されている。すなわち、光ディスク装置１により光ディスク２から読み出され、例えば、図１３Ａのケーブル２０２を介して送信されたデータは、光ディスク装置インタフェース２１９において受信され、入出力インタフェース２１５を介してＨＤＤ２１８に供給され、記録される。
【０１６１】
また、入出力インタフェース２１５には、通信部２２０が接続されている。通信部２２０は、ネットワークを介しての通信処理を行い、例えば、ユーザによるプロキシデータの編集結果を表す情報を、本編集が行われる装置などに送信する。
【０１６２】
入出力インタフェース２１５にはまた、必要に応じてドライブ２２１が接続され、磁気ディスク２２２、光ディスク２２３、光磁気ディスク２２４、或いは半導体メモリ２２５などが適宜装着され、それから読み出されたコンピュータプログラムが、必要に応じてＨＤＤ２１８にインストールされる。
【０１６３】
図１５は、図１４のＣＰＵ２１１により制御プログラムが実行されて実現される機能構成例を示すブロック図である。
【０１６４】
パーソナルコンピュータ２０１において実現される記録制御部２４１は、通信制御部２５１が設けられる点を除いて、図５に示される記録制御部８１と同様である。すなわち、図１５の検出部２５２、光ディスクデータ読み出し部２５３、制御部２５４、モード設定部２５５、ＨＤＤデータ読み出し部２５６、書き込み部２５７、代表画生成部２５８は、図５の検出部９１、光ディスクデータ読み出し部９２、制御部９３、モード設定部９４、ＨＤＤデータ読み出し部９５、書き込み部９６、代表画生成部９７に、それぞれ対応する。図１５において、図５の構成と対応するものについては、適宜、その詳細な説明を省略する。
【０１６５】
通信制御部２５１は、光ディスク装置インタフェース２１９を制御して、光ディスク装置１との通信を制御する。検出部２５２は、通信制御部２５１を介して、光ディスク装置１のドライブ３８に光ディスク２が装着されたことを検出し、装着されたことを表す情報を光ディスクデータ読み出し部２５３に出力する。
【０１６６】
光ディスクデータ読み出し部２５３は、図５の光ディスクデータ読み出し部９２と同様に、モード設定部２５５により自動複写モードが設定されており、光ディスク装置１のドライブ３８に光ディスク２が装着されたことが検出部２５２により検出されたとき、通信制御部２５１を介して、光ディスク２に記録されているプロキシファイルやメタデータファイルなどを光ディスク装置１に読み出させ、それらのデータを取得する。光ディスクデータ読み出し部２５３により取得されたプロキシファイルやメタデータファイルは、制御部２５４を介して書き込み部２５７に供給され、編集で用いられるデータとしてＨＤＤ２１８に書き込まれる。
【０１６７】
次に、例えば、図１３Ａの複写システムにおける、パーソナルコンピュータ２０１の処理について説明する。図１３Ｂの複写システムにおいても、同様の処理がパーソナルコンピュータ２０１により行われる。
【０１６８】
始めに、図１６および図１７のフローチャートを参照して、光ディスク２に記録されているデータを複写するパーソナルコンピュータ２０１の処理について説明する。この処理は、基本的には、図８および図９を参照して説明した光ディスク装置１の処理と同様の処理であり、重複する説明は適宜省略する。
【０１６９】
ステップＳ７１において、自動複写モードが設定されていると判定された場合、光ディスクデータ読み出し部２５３は、ステップＳ７２に進み、検出部２５２からの出力に基づいて、ケーブル２０２を介して接続される光ディスク装置１のドライブ３８に光ディスク２が装着されたか否かを判定する。
【０１７０】
光ディスクデータ読み出し部２５３は、ステップＳ７２において、撮影済みの光ディスク２が光ディスク装置１のドライブ３８に装着されたことが検出部２５２により検出されたとき、ステップＳ７３に進み、光ディスク２に記録されているインデックスファイルを読み出させ、それを取得する。
【０１７１】
すなわち、このとき、光ディスクデータ読み出し部２５３の指示に基づいて、通信制御部２５１から光ディスク装置１に対して、所定の読み出しコマンドが送信される。また、そのコマンドを受信することに応じて、光ディスク装置１により読み出されたインデックスファイルのデータが、光ディスク装置１のコンピュータインタフェース４５（図４）からケーブル２０２に出力され、パーソナルコンピュータ２０１の光ディスク装置インタフェース２１９において受信される。光ディスク装置インタフェース２１９において受信されたインデックスファイルのデータは制御部２５４に出力される。
【０１７２】
ステップＳ７４において、ＨＤＤデータ読み出し部２５６は、ＨＤＤ２１８に記録されているデータを管理するインデックスファイルを読み出し、それを制御部２５４に出力する。
【０１７３】
制御部２５４の判定部２７１は、ステップＳ７５において、光ディスク装置１から供給されてきたインデックスファイルに記述されている情報を参照し、判定の対象とするクリップの番号を表す変数Ｎに「１」を設定し、ステップＳ７６に進み、光ディスク２に記録されているＮ番目（ステップＳ７５に続いて行われる処理である場合、１番目）のクリップのプロキシファイルについて、そのファイル名と更新日時を取得する。
【０１７４】
判定部２７１は、ステップＳ７７において、ステップＳ７６で取得したファイル名と更新日時を有するプロキシファイルが、ＨＤＤ２１８に既に記録されているか否かを、ＨＤＤ２１８から読み出されたインデックスファイルに基づいて判定し、記録されていないと判定した場合、ステップＳ７９に進む。
【０１７５】
ステップＳ７９において、判定部２７１は、光ディスクデータ読み出し部９２を制御して、Ｎ番目のクリップのプロキシファイルと、そのクリップの付帯情報であるメタデータファイルを光ディスク装置１に読み出させ、読み出させたプロキシファイルとメタデータファイルを取得する。この場合も、通信制御部２５１から、所定の読み出しコマンドがケーブル２０２を介して光ディスク装置１に対して送信され、そのコマンドに応じて、光ディスク装置１からプロキシファイルとメタデータファイルが送信されてくる。
【０１７６】
光ディスク装置１からケーブル２０２を介して取得されたプロキシファイルとメタデータファイルは、制御部２５４を介して書き込み部２５７に出力され、ステップＳ８０において、書き込み部２５７によりＨＤＤ２１８に記録される。また、このとき、ＨＤＤ２１８に記録されているインデックスファイルの記述も更新され、書き込まれたプロキシファイルとメタデータファイルのファイル名、更新日時などの情報が、ＨＤＤ２１８に記録されているデータを管理するインデックスファイルに登録される。
【０１７７】
これにより、光ディスク装置１により読み出され、ケーブル２０２を介して供給されてきたプロキシファイルとメタデータファイルが、ユーザ自らがファイルを指定するなどの操作を行うことなく、パーソナルコンピュータ２０１のＨＤＤ２１８に自動的に記録される。
【０１７８】
なお、このとき、プロキシビデオデータが、代表画生成部２５８に対して制御部２５４から供給されている。
【０１７９】
ステップＳ８１において、制御部２５４の解釈部２７２は、ＨＤＤ２１８に記録されたメタデータのうちのクリップメタデータ（例えば、図７の名前が「Ｃ０００１Ｍ０１．ＸＭＬ」のファイル）を解釈して、エッセンスマークと静止画リストを取得し、ステップＳ８２に進み、エッセンスマークや静止画リストなどの情報を含む解釈結果を書き込み部２５７に出力し、ＨＤＤ２１８に記録させる。
【０１８０】
解釈部２７２により解釈されたエッセンスマークと静止画リストの情報は、代表画生成部２５８にも出力されており、ステップＳ８３において、代表画生成部２５８は、解釈部２７３から供給されてきたエッセンスマークと静止画リストの情報に基づいて、クリップの先頭フレームを含むプロキシビデオデータのＧＯＰ、および、エッセンスマークが設定されているフレームを含むプロキシビデオデータのＧＯＰをデコードする。
【０１８１】
また、代表画生成部９７は、ステップＳ８４において、ステップＳ８３でデコードして得られたデータから、クリップの先頭フレームのデータ、或いは、エッセンスマークが設定されたフレームのデータを取得して、代表画を生成し、ステップＳ８５に進み、それをＨＤＤ２１８に記録させる。
【０１８２】
このように、上述した光ディスク装置１単体の場合と同様に、代表画が予め作成され、ＨＤＤ２１８に保存されるため、編集の開始を指示したときにＨＤＤ２１８に記録されているデータに基づいて代表画が作成され、その一覧が編集画面に表示される場合に較べて、代表画の作成に要する時間の分だけ、ユーザは、迅速に、代表画の一覧が表示される編集画面で編集を開始することができる。
【０１８３】
ステップＳ８６において、判定部２７１は、光ディスク２に記録されている全てのクリップについて、そのプロキシファイルやメタデータファイルをＨＤＤ２１８に記録させる処理、および、クリップの代表画を作成する処理を終了したか否かを判定し、終了したと判定した場合、処理を終了させる。
【０１８４】
以上の処理が、光ディスク装置１に光ディスク２が装着され、そのことがパーソナルコンピュータ２０１の検出部２５２により検出される毎に行われ、編集で用いられる、プロキシファイルやメタデータファイルなどが、ケーブル２０２を介して接続されているパーソナルコンピュータ２０１に自動的に記録される。
【０１８５】
次に、図１８および図１９のフローチャートを参照して、ユーザからの指示に応じて、例えば、図１３Ａの光ディスク装置１に装着された光ディスク２に記録されているデータを複写するパーソナルコンピュータ２０１の処理について説明する。この処理は、図１１および図１２を参照して説明した光ディスク装置１の処理に対応する。
【０１８６】
すなわち、ステップＳ１０１において、光ディスクデータ読み出し部２５３は、検出部２５２からの出力に基づいて、光ディスク装置１のドライブ３８に光ディスク２が装着されたか否かを判定し、装着されたと判定した場合、ステップＳ１０２に進み、次に、光ディスク２に記録されているプロキシファイルなどを複写することが、ユーザから指示されたか否かを判定する。
【０１８７】
例えば、所定の複写開始ボタンが操作され、プロキシファイルなどを複写することがユーザから指示されたと判定した場合、光ディスクデータ読み出し部２５３は、ステップＳ１０３に進む。
【０１８８】
ステップＳ１０３以降の処理は、図１６および図１７を参照して説明した、ステップＳ７３以降の処理と同様である。すなわち、対象とされたクリップのプロキシファイルが、ＨＤＤ２１８に記録されているか否かが判定され（ステップＳ１０７）、記録されていないと判定された場合、光ディスク装置１により読み出されたプロキシファイルやメタデータファイルなどが、ケーブル２０２を介してパーソナルコンピュータ２０１に供給され、ＨＤＤ２１８に記録される（ステップＳ１１０）。また、プロキシファイルやメタデータファイルに基づいて作成された代表画などがＨＤＤ２１８に記録され（ステップＳ１１５）、ステップＳ１１６において、全てのクリップについて、プロキシファイルなどのＨＤＤ２１８への保存が終了したと判定された場合、処理が終了される。
【０１８９】
このように、複写開始ボタンなどを設け、それが操作されたときに複写が開始されることによっても、ユーザは、ケーブル２０２を介して接続されている光ディスク装置１により読み出された所定のファイルを、パーソナルコンピュータ２０１のＨＤＤ２１８に取り込ませることができる。
【０１９０】
以上のようにして取り込まれたデータにも基づいて、図１０を参照して説明したような編集処理が行われる。
【０１９１】
図２０および図２１のフローチャートは、光ディスク装置１により行われる、他の複写処理を示している。
【０１９２】
すなわち、以上においては、自動複写モードが設定されているか否か（例えば、図８および図９）、または、プロキシファイルを複写することが指示されたか否か（例えば、図１１および図１２）、のいずれかを判定するだけで、光ディスク装置１およびパーソナルコンピュータ２０１によりプロキシファイルなどの複写が行われる場合について説明したが、図２０および図２１の処理においては、その両方の判定が適宜行われる。なお、パーソナルコンピュータ２０１によっても、同様の処理が実行される。
【０１９３】
この処理は、例えば、電源がオフからオンにされたとき（投入されたとき）、または、オンにされている状態（既に投入されている状態）の所定のタイミングで実行される。
【０１９４】
ステップＳ１３１において、検出部９１は、光ディスク２が装着されたか、または、ドライブ３８に既に装着されているか否かを判定し、既に装着されていない場合には、新たに装着されたと判定するまで待機する。
【０１９５】
検出部９１は、ステップＳ１３１において、例えば、電源が投入されている状態において、新たに光ディスク２が装着された、または、電源が投入されたときには、光ディスク２がドライブ３８に既に装着されていたと判定した場合、ステップＳ１３２に進む。従って、ユーザは、電源が投入されている状態のときに光ディスク２をドライブ３８に装着することで、または、光ディスク２をドライブ３８に装着し、電源を投入することで（オフからオンに切り換えることで）、それ以降の処理を実行させることができる。
【０１９６】
ステップＳ１３２において、光ディスクデータ読み出し部９２は、モード設定部９４からの出力に基づいて、自動複写モードが設定されているか否かを判定する。
【０１９７】
光ディスクデータ読み出し部９２は、ステップＳ１３２において、自動複写モードが設定されていないと判定した場合、ステップＳ１３３に進み、ドライブ３８に装着された光ディスク２に記録されているプロキシファイルを複写することが、ユーザにより指示されたか否かを判定し、指示されたと判定するまで待機する。すなわち、自動複写モードが設定されていない場合には、光ディスク２が新たに装着された場合でも、ユーザからの指示があるまでは、プロキシファイル等の複写は行われない。
【０１９８】
ステップＳ１３３において、例えば、操作部４１に設けられている複写開始ボタンが操作され、複写を開始することが指示されたと判定した場合、光ディスクデータ読み出し部９２は、ステップＳ１３４に進む。
【０１９９】
また、光ディスクデータ読み出し部９２は、ステップＳ１３２において、自動複写モードが設定されていると判定した場合、ステップＳ１３４に進む。
【０２００】
ステップＳ１３４以降の処理は、例えば、図８および図９のステップＳ２以降の処理と同様である。すなわち、所定のクリップが順次対象とされ（ステップＳ１３６）、そのクリップのプロキシファイルが、ＨＤＤ４６に既に記録されているか否かが判定される（ステップＳ１３８）。また、ＨＤＤ４６に記録されていないプロキシファイルやメタデータファイル、および、それらに基づいて作成された代表画などがＨＤＤ４６に記録され（ステップＳ１４１，Ｓ１４６）、ステップＳ１４７において、全てのクリップについて、プロキシファイルなどのＨＤＤ４６への保存が終了したと判定された場合、処理は終了される。
【０２０１】
以上のようにしてプロキシファイル等の取り込みが行われるため、ユーザは、自動複写モードを設定している場合には、単に、光ディスク装置１に光ディスク２を装着するだけで、或いは、自動複写モードを設定していない場合には、光ディスク装置１に光ディスク２を装着し、複写開始ボタンを操作するだけで、ファイルを直接ファイルを指定することなく、プロキシファイルやメタデータをＨＤＤ４６に自動的に取り込ませることができる。
【０２０２】
当然、ユーザがプロキシファイル（例えば、図７の「Ｃ０００１Ｓ０１．ＭＸＦ」のプロキシファイル）を直接指定して、それをＨＤＤ４６に記録させることができるようにしてもよい。このとき、ユーザが指定したプロキシファイルに対応するメタデータが、自動的にＨＤＤ４６に取り込まれるようにすることにより、ユーザは、自動的に取り込まれたメタデータを用いて、容易に、編集を開始することができる。
【０２０３】
以上においては、ビデオカメラで撮影され、撮影済みの光ディスク２が装着された光ディスク装置１と、ケーブル２０２を介して接続されるパーソナルコンピュータ２０１の処理について説明したが、以上のような光ディスク装置１の機能（プロキシファイルやメタデータファイルなどを、編集を行う機器に転送する機能）が、ビデオカメラ自身に用意されるようにしてもよい。
【０２０４】
例えば、ビデオカメラでの撮影が終了したタイミングで、或いは、撮影中にリアルタイムで、プロキシファイルやメタデータファイルなどが、そのビデオカメラと有線や無線の通信を介して接続されるパーソナルコンピュータなどに自動的に送信され、内蔵するＨＤＤに記録されることによっても、ユーザは、そのパーソナルコンピュータを操作して、容易に、かつ迅速に、編集を開始させることができる。
【０２０５】
以上においては、光ディスク２に記録されたデータを処理する光ディスク装置１について説明したが、光ディスク装置１に装着される記録媒体は、光ディスクに限定されるものではない。すなわち、本発明は、光ディスク以外の、例えば、磁気ディスクや、磁気テープ、半導体メモリ、その他の記録媒体が装着可能に形成された装置にも適用可能である。
【０２０６】
また、装着された記録媒体に記録されているデータを複写する、その複写先の記録媒体（他の記録媒体）は、機器に内蔵されるＨＤＤに限られない。例えば、ＵＳＢケーブルを介して接続される外付けのＨＤＤであってもよいし、ネットワークを介して接続されるＨＤＤであってもよい。さらには、その複写先の他の記録媒体が、ＨＤＤではなく、光ディスクや半導体メモリ、或いは磁気テープなどであってもよい。
【０２０７】
上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０２０８】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２０９】
この記録媒体は、図１４に示されるように、装置本体とは別に、ユーザにプログラムを提供するために配布される、磁気ディスク２２２（フレキシブルディスクを含む）、光ディスク２２３（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク２２４（ＭＤ（登録商標）（Ｍｉｎｉ−Ｄｉｓｋ）を含む）、もしくは半導体メモリ２２５などよりなるパッケージメディアにより構成されるだけでなく、装置本体に予め組み込まれた状態でユーザに提供される、プログラムが記録されているＲＯＭ２１２や、ＨＤＤ２１８に含まれるハードディスクなどで構成される。
【０２１０】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０２１１】
また、本明細書において、システムとは、複数の装置により構成される装置全体を表わすものである。
【０２１２】
【発明の効果】
本発明によれば、記録媒体に記録されている所定のデータを、他の記録媒体に複写することができる。
【０２１３】
また、本発明によれば、ユーザは、迅速に、かつ容易に、編集を開始させることができる。
【図面の簡単な説明】
【図１】本発明を適用した光ディスク装置と、光ディスク装置に装着される光ディスクを示す図である。
【図２】撮影済みの光ディスクに記録されているデータと、その編集の例について示す図である。
【図３】撮影済みの光ディスクに記録されているデータと、その編集の他の例について示す図である。
【図４】光ディスク装置の構成例を示すブロック図である。
【図５】光ディスク装置の機能構成例を示すブロック図である。
【図６】光ディスクに記録されているデータのディレクトリの例を示す図である。
【図７】図６の「Ｃ０００１」ディレクトリに記録されているファイルの例を示す図である。
【図８】光ディスク装置の複写処理について説明するフローチャートである。
【図９】光ディスク装置の複写処理について説明する、図８に続くフローチャートである。
【図１０】光ディスク装置の編集処理について説明するフローチャートである。
【図１１】光ディスク装置の他の複写処理について説明するフローチャートである。
【図１２】光ディスク装置の他の複写処理について説明する、図１１に続くフローチャートである。
【図１３】本発明を適用した複写システムの構成例を示す図である。
【図１４】図１３のパーソナルコンピュータの構成例を示すブロック図である。
【図１５】パーソナルコンピュータの機能構成例を示すブロック図である。
【図１６】パーソナルコンピュータの複写処理について説明するフローチャートである。
【図１７】パーソナルコンピュータの複写処理について説明する、図１６に続くフローチャートである。
【図１８】パーソナルコンピュータの他の複写処理について説明するフローチャートである。
【図１９】パーソナルコンピュータの他の複写処理について説明する、図１８に続くフローチャートである。
【図２０】光ディスク装置の他の複写処理について説明するフローチャートである。
【図２１】光ディスク装置の他の複写処理について説明する、図２０に続くフローチャートである。
【符号の説明】
１  光ディスク装置，  ２  光ディスク，  ９１  検出部，  ９２  光ディスクデータ読み出し部，  ９３  制御部，  ９４  モード設定部，  ９５  ＨＤＤデータ読み出し部，  ９６  書き込み部，  ９７  代表画生成部，  １１１  判定部，  １１２  ＸＭＬ解釈部，  １１３  編集制御部
【図１】
2004343218.tif 000003
【図２】
2004343218.tif 000004
【図３】
2004343218.tif 000005
【図４】
2004343218.tif 000006
【図５】
2004343218.tif 000007
【図６】
2004343218.tif 000008
【図７】
2004343218.tif 000009
【図８】
2004343218.tif 000010
【図９】
2004343218.tif 000011
【図１０】
2004343218.tif 000012
【図１１】
2004343218.tif 000013
【図１２】
2004343218.tif 000014
【図１３】
2004343218.tif 000015
【図１４】
2004343218.tif 000016
【図１５】
2004343218.tif 000017
【図１６】
2004343218.tif 000018
【図１７】
2004343218.tif 000019
【図１８】
2004343218.tif 000020
【図１９】
2004343218.tif 000021
【図２０】
2004343218.tif 000022
【図２１】
2004343218.tif 000023